(57)【要約】【課題】投影されることが望まれない画像に対して所定の処理を加えることなく投影させないようにすることができる画像投影装置、画像投影方法、プログラムおよび記憶媒体を提供する。【解決手段】比較部２７３は、非投影画像取得部２７１によって取得された非投影画像データと、投影画像取得部２７２によって取得された投影画像データとが一致するか否かを判定し、画像移動部２７４は、非投影画像データと一致していないと判定された投影画像データをＲＡＭの第２のバッファに記憶させ、投影部は、ＲＡＭの第２のバッファに記憶された投影画像データを読み出して、その投影画像データに基づいて光変調素子により映像光に変調し、投影レンズを通して投影領域に対して拡大投影する。【選択図】図４
2014239404.tif 000002
【特許請求の範囲】
【請求項１】
非投影画像データと、画像生成装置から送信される投影画像データとが一致するか否かを判定する比較手段と、
該比較手段によって前記非投影画像データと一致しないと判定された前記投影画像データに基づく画像を投影し、前記比較手段によって前記非投影画像データと一致すると判定された前記投影画像データに基づく画像を投影しない投影部と、
を備えた画像投影装置。
【請求項２】
前記画像生成装置から送信される前記投影画像データを記憶する第１の記憶部と、
前記比較手段によって、前記第１の記憶部に記憶された前記投影画像データのうち、前記非投影画像データと一致しないと判定された前記投影画像データを記憶する第２の記憶部と、
をさらに備え、
前記投影部は、前記第２の記憶部に記憶された前記投影画像データに基づく画像を投影する請求項１に記載の画像投影装置。
【請求項３】
前記比較手段による判定の動作の前に、予め前記画像生成装置から送信される前記非投影画像データを記憶する第３の記憶部をさらに備えた請求項１または請求項２に記載の画像投影装置。
【請求項４】
前記第３の記憶部は、不揮発性の記憶装置である請求項３に記載の画像投影装置。
【請求項５】
非投影画像データと、画像生成装置から送信される投影画像データとが一致するか否かを判定するステップと、
該判定によって前記非投影画像データと一致しないと判定された前記投影画像データに基づく画像を投影し、前記判定によって前記非投影画像データと一致すると判定された前記投影画像データに基づく画像を投影しないステップと、
を有する画像投影方法。
【請求項６】
前記画像生成装置から送信される前記投影画像データを第１の記憶部に記憶させるステップと、
前記判定によって、前記第１の記憶部に記憶された前記投影画像データのうち、前記非投影画像データと一致しないと判定された前記投影画像データを第２の記憶部に記憶するステップと、
をさらに有し、
前記第２の記憶部に記憶された前記投影画像データに基づく画像を投影する請求項５に記載の画像投影方法。
【請求項７】
非投影画像データと、画像生成装置から送信される投影画像データとが一致するか否かを判定する比較手段と、
該比較手段によって前記非投影画像データと一致しないと判定された前記投影画像データを画像として投影するものと決定し、前記比較手段によって前記非投影画像データと一致すると判定された前記投影画像データを画像として投影しないものと決定する投影決定手段と、
をコンピュータに実現するためのプログラム。
【請求項８】
請求項７に記載のプログラムを記憶したコンピュータ読み取り可能な記憶媒体。
【発明の詳細な説明】
【技術分野】
【０００１】
本発明は、画像投影装置、画像投影方法、プログラムおよび記憶媒体に関する。
【背景技術】
【０００２】
近年、ＰＣ（Ｐｅｒｓｏｎａｌ  Ｃｏｍｐｕｔｅｒ）等の画像生成装置から送信された画像データを、スクリーン等の投影対象物に投影する装置として、プロジェクタ等の画像投影装置が用いられている。しかし、プロジェクタを用いて会議等が行われる場合、プロジェクタによって投影対象物に投影させる必要のない画像がある。投影対象物に投影させる必要のない画像としては、例えば、スクリーンセーバー画像、またはユーザＩＤおよびパスワードの入力画面の画像等がある。
【０００３】
例えば、プロジェクタに接続されたＰＣの設定により、所定時間、ＰＣに対して操作が行われない場合、スクリーンセーバーが起動する。スクリーンセーバーが起動してスクリーンセーバー画像が投影対象物に投影されると、議論が中断するという問題点があった。
【０００４】
また、ＰＣがプロジェクタに接続されている状態において、ＰＣを起動してログインする場合、または、上述のスクリーンセーバーを解除する場合等に、ユーザＩＤおよびパスワードの入力画面の画像が投影対象物に投影される。このユーザＩＤおよびパスワードは、所持するユーザ以外に見られることはセキュリティ確保の観点から好ましくない。
【０００５】
投影対象物に投影させる必要のない画像を投影させない画像投影装置として、投影する画像（第２画像）のうちの一部の領域が、投影しない画像（第１画像）と一致した場合、第２画像のうち一致する領域を投影させない画像投影装置がある（特許文献１参照）。
【発明の概要】
【発明が解決しようとする課題】
【０００６】
しかしながら、特許文献１に記載された画像投影装置においては、第１画像において、投影させない領域を指定する設定が必要である。すなわち、その領域の位置および大きさを判別するため各頂点の座標データを画像投影装置に記憶させる必要があり、その設定作業の負担が増加するという問題点があった。
【０００７】
また、第１画像の投影させない領域に対応する第２画像の領域が比較対象となる。したがって、第１画像の投影させない領域の画像が、第２画像において異なる領域に表示されている場合、第２画像の投影させない領域の画像を投影させないようにすることができないという問題点もあった。
【０００８】
本発明は、上記に鑑みてなされたものであって、投影されることが望まれない画像に対して所定の処理を加えることなく投影させないようにすることができる画像投影装置、画像投影方法、プログラムおよび記憶媒体を提供することを目的とする。
【課題を解決するための手段】
【０００９】
上述した課題を解決し、目的を達成するために、本発明は、非投影画像データと、画像生成装置から送信される投影画像データとが一致するか否かを判定する比較手段と、該比較手段によって前記非投影画像データと一致しないと判定された前記投影画像データに基づく画像を投影し、前記比較手段によって前記非投影画像データと一致すると判定された前記投影画像データに基づく画像を投影しない投影部と、を備えたことを特徴とする。
【発明の効果】
【００１０】
本発明によれば、投影されることが望まれない画像に対して所定の処理を加えることなく投影させないようにすることができる。
【図面の簡単な説明】
【００１１】
【図１】図１は、第１の実施の形態の画像投影システムの概略構成の一例を示す図である。
【図２】図２は、第１の実施の形態の画像投影システムの構成の一例を示すブロック図である。
【図３】図３は、第１の実施の形態の画像生成装置の制御部の構成の一例を示すブロック図である。
【図４】図４は、第１の実施の形態の画像投影装置の制御部の構成の一例を示すブロック図である。
【図５】図５は、第１の実施の形態の画像投影装置における非投影画像データを保存する動作の一例を示すフローチャートである。
【図６】図６は、第１の実施の形態の画像投影装置における非投影画像データを投影させない動作の一例を示すフローチャートである。
【図７】図７は、非投影画像であるスクリーンセーバーの画像とＰＣから送信された画像が一致している例を示す図である。
【図８】図８は、非投影画像であるスクリーンセーバーの画像とＰＣから送信された画像が一致していない例を示す図である。
【図９】図９は、第１の実施の形態の変形例の画像投影システムの概略構成を示す図である。
【図１０】図１０は、第２の実施の形態の画像投影システムの構成の一例を示すブロック図である。
【発明を実施するための形態】
【００１２】
以下に、図面を参照しながら、本発明に係る画像投影装置、画像投影方法、プログラムおよび記憶媒体の実施の形態を詳細に説明する。また、以下の実施の形態によって本発明が限定されるものではなく、以下の実施の形態における構成要素には、当業者が容易に想到できるもの、実質的に同一のもの、およびいわゆる均等の範囲のものが含まれる。さらに、以下の実施の形態の要旨を逸脱しない範囲で構成要素の種々の省略、置換および変更を行うことができる。
【００１３】
（第１の実施の形態）
＜画像投影システムの全体構成＞
図１は、第１の実施の形態の画像投影システムの概略構成の一例を示す図である。図１を参照しながら、第１の実施の形態の画像投影システム１００の全体構成について説明する。
【００１４】
図１に示すように、第１の実施の形態の画像投影システム１００は、ＰＣ１と、プロジェクタ２と、を備えて構成されている。ＰＣ１とプロジェクタ２とは、通信ケーブル３によって通信可能に接続されている。
【００１５】
ＰＣ１は、画像生成装置の一例であり、図１においてはノート型パソコンを例として示している。ＰＣ１は、通信ケーブル３を介して、プロジェクタ２に画像データを送信する。
【００１６】
プロジェクタ２は、画像投影装置の一例であり、通信ケーブル３を介して、ＰＣ１から画像データを受信する。プロジェクタ２は、受信した画像データに基づいてスクリーン等の投影対象物の投影領域４にその画像を投影する。
【００１７】
なお、図１に示すように、ＰＣ１とプロジェクタ２とは、通信ケーブル３によって直接接続された構成となっているが、これに限定されるものではない。例えば、ＰＣ１とプロジェクタ２とは、インターネット、イントラネットまたはＬＡＮ（Ｌｏｃａｌ  Ａｒｅａ  Ｎｅｔｗｏｒｋ）等のネットワークを経由して、データの送受信を可能とする構成としてもよい。
【００１８】
＜画像生成装置の構成＞
図２は、第１の実施の形態の画像投影システムの構成の一例を示すブロック図である。図３は、第１の実施の形態の画像生成装置の制御部の構成の一例を示すブロック図である。図２および３を参照しながら、画像生成装置の一例であるＰＣ１の構成について説明する。
【００１９】
図２に示すように、画像生成装置の一例であるＰＣ１は、通信インターフェース１１と、操作部１２と、表示部１３と、記憶部１４と、外部記憶装置１５と、制御部１６と、を備えている。上記の各部は、バス１７によって接続され、互いにデータの送受信が可能となっている。
【００２０】
通信インターフェース１１は、通信ケーブル３を介して、プロジェクタ２と通信する装置である。通信インターフェース１１は、例えば、ＮＩＣ（Ｎｅｔｗｏｒｋ  Ｉｎｔｅｒｆａｃｅ  Ｃａｒｄ）等の通信装置によって実現される。通信インターフェース１１の通信方式は、例えば、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）またはＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等によって実現される。ここで、例えば、通信インターフェース１１の通信方式がＶＧＡ、ＤＶＩまたはＨＤＭＩのうちいずれかである場合、通信ケーブル３は、その通信方式に合わせて、ＶＧＡケーブル、ＤＶＩケーブルまたはＨＤＭＩケーブルによって実現される必要がある。また、通信インターフェース１１の通信方式がＶＧＡであり、通信ケーブル３がＶＧＡケーブルである場合、通信インターフェース１１からプロジェクタ２に送信される画像データは、例えば、ヘッダー情報込みのＲＧＢデータによって構成される。
【００２１】
操作部１２は、ユーザによって制御部１６に対して所定の処理を実行させるための操作入力を行うものである。操作部１２は、例えば、マウス、キーボード、テンキー、タッチパッドまたはタッチパネルにおける操作入力機能によって実現される。
【００２２】
表示部１３は、ログイン画面の画像、プレゼンテーション画像、スクリーンセーバー画像その他アプリケーション画像等の各種画像を表示するものである。表示部１３は、例えば、ＣＲＴ（Ｃａｔｈｏｄｅ  Ｒａｙ  Ｔｕｂｅ）ディスプレイ、液晶ディスプレイ、プラズマディスプレイまたは有機ＥＬ（Ｅｌｅｃｔｒｏｌｕｍｉｎｅｓｃｅｎｃｅ）ディスプレイ等によって実現される。
【００２３】
記憶部１４は、ＰＣ１で実行される各種プログラムおよびＰＣ１で行われる各種処理に使用されるデータ等を記憶する装置である。記憶部１４は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等の記憶装置によって実現される。
【００２４】
外部記憶装置１５は、画像データ、プログラムおよびフォントデータ等を蓄積して記憶する記憶装置である。外部記憶装置１５は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、光ディスク、または光磁気ディスク（ＭＯ：Ｍａｇｎｅｔｏ−Ｏｐｔｉｃａｌ  Ｄｉｓｋ）等の記憶装置によって実現される。
【００２５】
制御部１６は、ＰＣ１の各部の動作を制御する装置である。制御部１６は、例えば、ＣＰＵ（Ｃｅｎｔｒａｌ  Ｐｒｏｃｅｓｓｉｎｇ  Ｕｎｉｔ）およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で実現される。
【００２６】
図３に示すように、制御部１６は、画像生成部１６１と、画像送信部１６２と、画像表示部１６３と、を有している。
【００２７】
画像生成部１６１は、ＰＣ１の操作部１２に対するユーザの操作または時間設定等に基づいて、プロジェクタ２に送信する非投影画像データまたは投影画像データを生成する。非投影画像データとは、プロジェクタ２によって投影領域４に投影させない画像のデータであり、ＰＣ１からプロジェクタ２に送信されて記憶される画像データである。投影画像データとは、ＰＣ１からプロジェクタ２に送信され、プロジェクタ２に記憶された非投影画像データと一致するか否か比較されて、投影領域４に投影されるか否か判定される画像データである。
【００２８】
画像送信部１６２は、画像生成部１６１によって生成された非投影画像データまたは投影画像データを、バス１７、通信インターフェース１１および通信ケーブル３を介して、プロジェクタ２に送信する。
【００２９】
画像表示部１６３は、画像生成部１６１によって生成された画像データに基づく画像を表示部１３に表示させる。
【００３０】
例えば、非投影画像データがスクリーンセーバー画像のデータである場合、画像生成部１６１は、ＰＣ１のプラットフォームによる設定時間が経過した場合、スクリーンセーバー画像のデータを生成する。画像表示部１６３は、表示部１３に通常の画像を表示させている状態からスクリーンセーバー画像に表示を切り替える。そして、ユーザによって操作部１２に対する操作等がなされた場合、画像表示部１６３は、表示部１３にスクリーンセーバー画像を表示させている状態から通常の画像に表示を切り替える。ここで、通常の画像とは、プロジェクタ２によって投影領域４に投影させない画像、すなわち、非投影画像以外の画像をいうものとする。
【００３１】
また、例えば、非投影画像データがユーザＩＤおよびパスワードの入力画面の画像データである場合、画像生成部１６１は、ＰＣ１を起動してログインする場合、または、スクリーンセーバーを解除する場合等に、上記の入力画面の画像データを生成する。画像表示部１６３は、表示部１３に通常の画像を表示させている状態から上記の入力画面の画像に表示を切り替える。そして、ユーザによる操作部１２の操作に基づいて、ＰＣ１にログインした場合、または、スクリーンセーバーが解除された場合等に、画像表示部１６３は、表示部１３に入力画面の画像を表示させている状態から通常の画像に表示を切り替える。
【００３２】
なお、制御部１６の上述の各処理部は、それぞれ明確に区分されている必要はなく、総合的に、制御部１６において処理されるプログラム等のソフトウェア、または電子回路等ハードウェアによって実現されるものとすればよい。
【００３３】
＜画像投影装置の構成＞
図４は、第１の実施の形態の画像投影装置の制御部の構成の一例を示すブロック図である。図２および４を参照しながら、画像投影装置の一例であるプロジェクタ２の構成について説明する。
【００３４】
図２に示すように、画像投影装置の一例であるプロジェクタ２は、通信インターフェース２１と、ＲＡＭ２２（第３の記憶部）と、ＲＡＭ２３と、切替回路２４と、制御スイッチ２５と、投影部２６と、制御部２７と、を備えている。
【００３５】
通信インターフェース２１は、通信ケーブル３を介して、ＰＣ１と通信する装置である。通信インターフェース２１は、例えば、ＮＩＣ等の通信装置によって実現される。通信インターフェース２１の通信方式は、例えば、ＶＧＡ、ＤＶＩまたはＨＤＭＩ等によって実現される。ただし、通信インターフェース２１の通信方式は、通信インターフェース１１の通信方式に一致させる必要がある。
【００３６】
ＲＡＭ２２は、通信ケーブル３、通信インターフェース２１および切替回路２４を介して、ＰＣ１から送信された非投影画像データを一時的に記憶する揮発性の記憶装置である。ＲＡＭ２２は、記憶している非投影画像データが制御部２７によって読み出される。なお、ＲＡＭ２２に記憶される非投影画像データは、１つの画像を示す画像データに限定されるものではなく、複数の画像に対応するそれぞれの画像データが記憶されているものとしてもよい。
【００３７】
ＲＡＭ２３は、通信ケーブル３、通信インターフェース２１および切替回路２４を介して、ＰＣ１から送信された投影画像データを記憶する記憶装置である。ＲＡＭ２３は、図２に示すように、記憶領域として第１のバッファ２３ａ（第１の記憶部）と、第２のバッファ２３ｂ（第２の記憶部）と、を有している。ＲＡＭ２３の第１のバッファ２３ａは、ＰＣ１から受信した投影画像データが一時的に記憶される記憶領域であり、記憶している投影画像データが制御部２７によって読み出される。ＲＡＭ２３の第２のバッファ２３ｂは、後述するように制御部２７により第１のバッファ２３ａから読み出された投影画像データが、非投影画像データと一致していると判定された場合、その投影画像データが記憶される記憶領域である。なお、第１のバッファ２３ａおよび第２のバッファ２３ｂは、同一の記憶装置であるＲＡＭ２３に構成されているものとしているが、これに限定されるものではなく、それぞれ別々の記憶装置によって構成されるものとしてもよい。
【００３８】
切替回路２４は、ＰＣ１から送信され、通信インターフェース２１が受信した画像データをＲＡＭ２２に送信されるように、または、ＲＡＭ２３の第１のバッファ２３ａに送信されるように、伝送回路を切り替える電子回路である。制御スイッチ２５は、切替回路２４の伝送回路を切り替えるためのスイッチである。制御スイッチ２５は、例えば、タクトスイッチまたはトグルスイッチ等によって実現され、プロジェクタ２の筐体のユーザが操作可能な位置に取り付けられている。具体的には、ＰＣ１から送信された非投影画像データをＲＡＭ２２に記憶させる場合、ユーザは、制御スイッチ２５を操作して、切替回路２４において接点Ａと接点Ｂとを短絡させる。一方、ＰＣ１から送信された投影画像データをＲＡＭ２３の第１のバッファ２３ａに記憶させる場合、ユーザは、制御スイッチ２５を操作して、切替回路２４において接点Ａと接点Ｃとを短絡させる。
【００３９】
投影部２６は、各種画像を投影領域４に投影する装置である。具体的には、投影部２６は、ＲＡＭ２３の第２のバッファ２３ｂから投影画像データを読み出して、その投影画像データに基づいて光変調素子により映像光に変調する。投影部２６は、変調した映像光を、投影レンズ２６ａを通して投影領域４に対して拡大投影する。
【００４０】
制御部２７は、プロジェクタ２の各部の動作を制御する装置である。制御部２７は、例えば、ＣＰＵおよびＡＳＩＣ等で実現される。
【００４１】
図４に示すように、制御部２７は、非投影画像取得部２７１と、投影画像取得部２７２と、比較部２７３（比較手段、投影決定手段）と、画像移動部２７４（投影決定手段）と、を備えている。
【００４２】
非投影画像取得部２７１は、ＲＡＭ２２に記憶された非投影画像データを読み出して取得する。
【００４３】
投影画像取得部２７２は、ＲＡＭ２３の第１のバッファ２３ａに記憶された投影画像データを読み出して取得する。
【００４４】
比較部２７３は、非投影画像取得部２７１によって取得された非投影画像データと、投影画像取得部２７２によって取得された投影画像データとが一致するか否かを判定する。ここで、ＲＡＭ２２に記憶された非投影画像データが、複数の画像をそれぞれ示す複数の画像データである場合、比較部２７３は、投影画像データが、複数の非投影画像データとそれぞれ一致するか否かを判定する。
【００４５】
画像移動部２７４は、比較部２７３によって投影画像データが非投影画像データと一致しないと判定した場合、その投影画像データをＲＡＭ２３の第２のバッファ２３ｂに記憶させる。
【００４６】
なお、制御部２７の上述の各処理部は、それぞれ明確に区分されている必要はなく、総合的に、制御部２７において処理されるプログラム等のソフトウェア、または電子回路等ハードウェアによって実現されるものとすればよい。
【００４７】
＜非投影画像データ保存動作＞
図５は、第１の実施の形態の画像投影装置における非投影画像データを保存する動作の一例を示すフローチャートである。図２、３および５を参照しながら、ＰＣ１から送信された非投影画像データがプロジェクタ２に保存される動作について説明する。
【００４８】
＜＜ステップＳ１＞＞
まず、ユーザは、プロジェクタ２に送信するための非投影画像データに基づく画像を表示部１３に表示させるための操作をＰＣ１の操作部１２に対して行う。操作部１２は、その操作情報を制御部１６に送信する。制御部１６の画像生成部１６１は、受信した操作情報に基づいて、非投影画像データを生成する。制御部１６の画像表示部１６３は、画像生成部１６１によって生成された非投影画像データに基づく画像を表示部１３に表示させる。そして、ステップＳ２へ進む。
【００４９】
例えば、プロジェクタ２に送信する非投影画像データがスクリーンセーバー画像のデータである場合、ユーザは、操作部１２に対して、スクリーンセーバーを起動させる操作を行う。これによって、制御部１６は、スクリーンセーバーを起動させる操作情報に基づいて、スクリーンセーバー画像を表示部１３に表示させる。一方、プロジェクタ２に送信する非投影画像データがユーザＩＤおよびパスワードの入力画面の画像データである場合、ユーザは、操作部１２に対して、入力画面の画像を表示部１３に表示させるための操作を行う。これによって、制御部１６は、入力画面の画像を表示部１３に表示させる。
【００５０】
＜＜ステップＳ２＞＞
次に、ユーザは、制御スイッチ２５を操作することによって、切替回路２４の接点Ａと接点Ｂとを短絡させる。これによって、通信インターフェース２１は、ＲＡＭ２２と電気的に接続される。そして、ステップＳ３へ進む。
【００５１】
＜＜ステップＳ３＞＞
制御部１６の画像送信部１６２は、バス１７、通信インターフェース１１および通信ケーブル３を介して、画像生成部１６１によって生成された非投影画像データをプロジェクタ２に送信する。そして、ステップＳ４へ進む。
【００５２】
＜＜ステップＳ４＞＞
ＰＣ１から送信された非投影画像データは、プロジェクタ２の通信インターフェース２１によって受信される。通信インターフェース２１によって受信された非投影画像データは、短絡された接点Ａおよび接点Ｂを介して、ＲＡＭ２２に記憶（保存）される。以上の動作によって、ＰＣ１から送信された非投影画像データは、プロジェクタ２のＲＡＭ２２に保存される。
【００５３】
なお、ＲＡＭ２２に記憶される非投影画像データは、１種類の画像データに限定されるものではなく、複数種類の画像データであってもよい。例えば、ＲＡＭ２２に記憶される非投影画像データは、スクリーンセーバー画像のデータまたはユーザＩＤおよびパスワードの入力画面の画像データのいずれかのみが記憶されるものとする必要はなく、双方が記憶されるものとしてもよい。
【００５４】
＜非投影画像データを投影させない動作＞
図６は、第１の実施の形態の画像投影装置における非投影画像データを投影させない動作の一例を示すフローチャートである。図７は、非投影画像であるスクリーンセーバーの画像とＰＣから送信された画像が一致している例を示す図である。図８は、非投影画像であるスクリーンセーバーの画像とＰＣから送信された画像が一致していない例を示す図である。図１〜４および６〜８を参照しながら、ＰＣ１から送信された投影画像データがプロジェクタ２によって投影される場合と投影されない場合の動作について説明する。
【００５５】
＜＜ステップＳ１〜４＞＞
図５において上述した動作によって、プロジェクタ２のＲＡＭ２２に非投影画像データが記憶（保存）される。そして、ステップＳ５へ進む。
【００５６】
＜＜ステップＳ５＞＞
ユーザは、制御スイッチ２５を操作することによって、切替回路２４の接点Ａと接点Ｃとを短絡させる。これによって、通信インターフェース２１は、ＲＡＭ２３と電気的に接続される。そして、ステップＳ６へ進む。
【００５７】
＜＜ステップＳ６＞＞
制御部１６の画像送信部１６２は、画像生成部１６１によって生成され、画像表示部１６３によって表示部１３に表示されている画像の画像データを投影画像データとしてプロジェクタ２に送信する。具体的には、画像送信部１６２は、バス１７、通信インターフェース１１および通信ケーブル３を介して、投影画像データをプロジェクタ２に送信する。
【００５８】
＜＜ステップＳ７＞＞
ＰＣ１から送信された投影画像データは、プロジェクタ２の通信インターフェース２１によって受信される。通信インターフェース２１によって受信された投影画像データは、短絡された接点Ａおよび接点Ｃを介して、ＲＡＭ２３の第１のバッファ２３ａに記憶（保存）される。
【００５９】
＜＜ステップＳ８＞＞
制御部２７の非投影画像取得部２７１は、ＲＡＭ２２に記憶されている非投影画像データを読み出して取得する。制御部２７の投影画像取得部２７２は、ＲＡＭ２３の第１のバッファ２３ａに記憶された投影画像データを読み出して取得する。制御部２７の比較部２７３は、非投影画像取得部２７１によって取得された非投影画像データと、投影画像取得部２７２によって取得された投影画像データとが一致するか否かを判定する。比較部２７３は、ＲＡＭ２２に記憶され、非投影画像取得部２７１によって取得される非投影画像データが、複数の画像をそれぞれ示す複数の画像データである場合、投影画像データが、複数の非投影画像データとそれぞれ一致するか否かを判定する。
【００６０】
図７および８は、ＲＡＭ２２に記憶された非投影画像データおよび第１のバッファ２３ａに記憶された投影画像データの構成の例を示している。図７および８においては、例えば、非投影画像データおよび投影画像データを構成する各画素情報が１６進数のデータ（８ビットデータ）である場合を示している。比較部２７３は、非投影画像データの各画素情報と、それぞれに対応する投影画像データの画素情報とを比較した結果、双方の画素情報がすべて一致する場合、非投影画像データと投影画像データとが一致していると判定する。図７は、非投影画像データと投影画像データとが一致している場合を示している。図８は、非投影画像データと投影画像データとが一致していない場合を示している。
【００６１】
非投影画像データと投影画像データとが一致しないと判定された場合（ステップＳ８：Ｎｏ）、ステップＳ９へ進み、一致していると判定された場合（ステップＳ８：Ｙｅｓ）、ステップＳ１０へ進む。
【００６２】
＜＜ステップＳ９＞＞
制御部２７の画像移動部２７４は、比較部２７３によって非投影画像データと一致していないと判定された投影画像データをＲＡＭ２３の第２のバッファ２３ｂに記憶させる。そして、ステップＳ１０へ進む。
【００６３】
＜＜ステップＳ１０＞＞
投影部２６は、ＲＡＭ２３の第２のバッファ２３ｂに記憶された投影画像データを読み出して、その投影画像データに基づいて光変調素子により映像光に変調する。投影部２６は、変調した映像光を、投影レンズ２６ａを通して投影領域４に対して拡大投影する。そして、ステップＳ６へ戻り、画像送信部１６２は、表示部１３に表示される次のフレームの画像の画像データを投影画像データとしてプロジェクタ２に送信する。このように、ステップＳ６〜１０の動作が繰り返される。
【００６４】
なお、上述のステップＳ６〜１０は、必ずしも直列の順序に処理が実行される必要はない。例えば、ステップＳ９における投影画像データが第２のバッファ２３ｂに記憶される処理と並行して、ステップＳ６およびＳ７におけるＰＣ１からプロジェクタ２への投影画像データの送信処理および投影画像データの第１のバッファ２３ａへの記憶処理が実行されてもよい。
【００６５】
以上の動作のように、画像移動部２７４によって、ＰＣ１から送信されＲＡＭ２２に記憶された投影画像データのうち、非投影画像データと一致しない画像データのみが第２のバッファ２３ｂへ記憶される。そして、投影部２６は、第２のバッファ２３ｂに記憶された投影画像データのみを映像光に変調して、投影領域４に投影する。すなわち、比較部２７３によって、非投影画像データと投影画像データとが一致すると判定した場合、その投影画像データの前のフレームの投影画像データの画像の投影を継続することになる。したがって、ＲＡＭ２２に記憶された投影画像データのうち、非投影画像データと一致する画像データ、すなわち、投影領域４に投影されることが望まれない画像データに基づく画像の投影領域４への投影を防止することができる。これによって、ＰＣ１の表示部１３において、非投影画像データに基づく画像が表示された場合、プロジェクタ２によって投影領域４に投影される画像は追従することなく、表示部１３で非投影画像データに基づく画像が表示される前の画像の投影を維持できる。また、投影されることが望まれない画像データに対して、なんら加工編集処理等を加えずに投影させないようにすることができる。
【００６６】
また、ＲＡＭ２３の第２のバッファ２３ｂには、投影部２６によって投影させる投影画像データのみが記憶される。したがって、投影部２６は、第２のバッファ２３ｂに記憶された投影画像データを読み出して、その投影画像データに基づく画像を投影させる動作において、投影させない画像データを投影してしまうことはない。
【００６７】
なお、比較部２７３は、非投影画像データおよび投影画像データの双方の画素情報がすべて一致する場合、非投影画像データと投影画像データとが一致していると判定するものとしたが、これに限定されるものではない。すなわち、比較部２７３が非投影画像データと投影画像データとが一致していると判定するために、必ずしも、非投影画像データおよび投影画像データの双方の画素情報のすべてが一致している必要はない。つまり、非投影画像データおよび投影画像データの双方を構成する画素情報のうち、所定の閾値以上の数の画素情報が一致する場合、非投影画像データと投影画像データとが一致していると判定されるものとしてもよい。
【００６８】
例えば、非投影画像データが、上述のユーザＩＤおよびパスワードの入力画面の画像データであるものとし、ユーザＩＤおよびパスワードが入力されていない入力画面の画像データのみがＲＡＭ２２に記憶されているものとする。そして、非投影画像データおよび投影画像データの双方の画素情報がすべて一致する場合、比較部２７３は、非投影画像データと投影画像データとが一致していると判定するものとする。この場合、ユーザが入力画面においてユーザＩＤを入力した画面の画像データが投影画像データとしてプロジェクタ２に送信された場合、この投影画像データにおけるユーザＩＤを表示する部分の画素情報と非投影画像データの対応する画素情報とが不一致となる。この結果、ユーザＩＤが入力された入力画面の画像が投影部２６によって投影されることになる。
【００６９】
一方、非投影画像データおよび投影画像データの双方を構成する画素情報の数のうち、所定の閾値以上の数の画素情報が一致する場合、非投影画像データと投影画像データとが一致していると判定される場合を考える。この場合、投影画像データのユーザＩＤを表示する部分の画素情報と非投影画像データの対応する画素情報とは不一致であるが、他の画素情報について所定の閾値以上の数の画素情報が一致する場合、双方の画像データとは一致していると判定されることになる。したがって、ユーザが、入力画面においてユーザＩＤ等を入力しても、その入力画面の画像が投影部２６によって投影されることを回避することができ、セキュリティを確保することができる。
【００７０】
また、図２に示すように、プロジェクタ２は、非投影画像データを記憶する記憶装置としてのＲＡＭ２２と、投影画像データを記憶する記憶装置としてのＲＡＭ２３とを備える構成としたが、これに限定されるものではない。すなわち、ＲＡＭ２２とＲＡＭ２３とを別体とする必要はなく、同一のＲＡＭ内に、ＲＡＭ２２の機能を有する記憶領域、第１のバッファ２３ａの機能を有する記憶領域、および第２のバッファ２３ｂの機能を有する記憶領域が展開される構成としてもよい。この場合、切替回路２４は、制御スイッチ２５に対する操作に基づき、画像データが、ＲＡＭ２２の機能を有する記憶領域に記憶されるように、または、第１のバッファ２３ａの機能を有する記憶領域に記憶されるように切り替えられるものとすればよい。
【００７１】
＜変形例＞
図９は、第１の実施の形態の変形例の画像投影システムの概略構成を示す図である。図９を参照しながら、第１の実施の形態の変形例の画像投影システムについて説明する。
【００７２】
図９に示すように、本変形例の画像投影システム１００ａは、画像生成装置の一例であるＰＣ１ａと、画像投影装置の一例であるプロジェクタ２ａと、を備えて構成されている。ＰＣ１ａは、外部との通信のインターフェースとして無線ＬＡＮインターフェース１１ａを備えている。プロジェクタ２ａは、外部との通信のインターフェースとして無線ＬＡＮインターフェース２１ａを備えている。ＰＣ１ａおよびプロジェクタ２ａのその他の構成は、図１および２に示すＰＣ１およびプロジェクタ２のそれぞれと同様である。
【００７３】
図９に示すように、ＰＣ１ａおよびプロジェクタ２ａは、無線ＬＡＮインターフェース１１ａおよび無線ＬＡＮインターフェース２１ａによって無線方式により通信が確立される。したがって、ＰＣ１ａからプロジェクタ２ａに非投影画像データおよび投影画像データが送信される場合は、無線通信用の電波または赤外線等の電磁波によって送信される。このように、無線ＬＡＮインターフェース１１ａと無線ＬＡＮインターフェース２１ａとの通信方式が無線方式である場合、無線ＬＡＮインターフェース１１ａから無線ＬＡＮインターフェース２１ａに送信される画像データは、例えば、ヘッダー情報込みのＹＣｒＣｂ等のデータによって構成される。その他の非投影画像データの保存動作、および非投影画像データを投影させない動作については、図１および２に示す第１の実施の形態の画像投影システム１００における動作と同様である。
【００７４】
以上のように、ＰＣ１ａとプロジェクタ２ａと間で無線方式におるデータの通信が行われる不安定な通信網下においても、予め非投影画像データを、プロジェクタ２ａ内部のＲＡＭ２２に記憶させておくため、安定的に上述の効果を奏することができる。
【００７５】
（第２の実施の形態）
第２の実施の形態の画像投影システムについて、第１の実施の形態の画像投影システム１００の構成および動作と相違する点を中心に説明する。
【００７６】
＜画像投影システムの全体構成および画像投影装置の構成＞
図１０は、第２の実施の形態の画像投影システムの構成の一例を示すブロック図である。図１０を参照しながら、第２の実施の形態の画像投影システム１００ｂの全体構成およびプロジェクタ２ｂの構成について説明する。また、図１０において、第１の実施の形態における画像投影システム１００における各部の構成および動作が同様であるものは、同一符号を付し、ここでの説明を省略する。
【００７７】
図１０に示すように、第２の実施の形態の画像投影システム１００ｂは、ＰＣ１と、プロジェクタ２ｂと、を備えて構成されている。ＰＣ１とプロジェクタ２ｂとは、通信ケーブル３によって通信可能に接続されている。
【００７８】
図１０に示すように、画像投影装置の一例であるプロジェクタ２ｂは、通信インターフェース２１と、フラッシュメモリ２２ａ（第３の記憶部）と、ＲＡＭ２３と、切替回路２４と、制御スイッチ２５と、投影部２６と、制御部２７と、を備えている。
【００７９】
フラッシュメモリ２２ａは、通信ケーブル３、通信インターフェース２１および切替回路２４を介して、ＰＣ１から送信された非投影画像データを記憶する不揮発性の記憶装置である。フラッシュメモリ２２ａは、記憶している非投影画像データが制御部２７によって読み出される。なお、フラッシュメモリ２２ａに記憶される非投影画像データは、１つの画像を示す画像データに限定されるものではなく、複数の画像に対応するそれぞれの画像データが記憶されているものとしてもよい。
【００８０】
なお、プロジェクタ２ｂは、不揮発性の記憶装置としてフラッシュメモリ２２ａを備えるものとしているが、これに限定されるものではなく、フラッシュメモリ以外の不揮発性の記憶装置を備えるものとしてもよい。
【００８１】
その他の非投影画像データの保存動作、および非投影画像データを投影させない動作については、図１および２に示す第１の実施の形態の画像投影システム１００における動作と同様である。
【００８２】
以上のように、プロジェクタ２ｂは非投影画像データを記憶する不揮発性の記憶装置としてフラッシュメモリ２２ａを備えることによって、プロジェクタ２ｂの電源が切られた場合でも、記憶されている非投影画像データは消失しない。したがって、図５に示す非投影画像データの保存動作を一度実行すれば、半永久的に非投影画像データをフラッシュメモリ２２ａに記憶させておくことができ、同じ非投影画像データの保存動作を再度実行する必要がなく、ユーザの作業負担を軽減できる。
【００８３】
なお、本実施の形態のプロジェクタ２ｂのように、第１の実施の形態の変形例のプロジェクタ２ａが、非投影画像データを記憶する記憶装置としてフラッシュメモリ２２ａを備えるものとしてもよいのは言うまでもない。
【００８４】
（ハードウェア構成）
上述の各実施の形態の画像投影装置のハードウェア構成について説明する。上述の各実施の形態の画像投影装置は、ＣＰＵ等の制御装置と、ＲＡＭまたはフラッシュメモリ等の記憶装置と、ＨＤＤまたはＳＳＤ等の外部記憶装置と、光変調素子を有する投影装置と、タクトスイッチまたはトグルスイッチ等の入力装置と、通信インターフェース等の通信装置と、を備えており、通常のコンピュータを利用したハードウェア構成で実現できる。
【００８５】
上述の各実施の形態の画像投影装置で実行されるプログラムは、インストール可能な形式または実行可能な形式のファイルでＣＤ−ＲＯＭ、ＣＤ−Ｒ、メモリカード、ＤＶＤ（Ｄｉｇｉｔａｌ  Ｖｅｒｓａｔｉｌｅ  Ｄｉｓｋ）、フレキシブルディスク（ＦＤ）等のコンピュータで読み取り可能な記憶媒体に記憶されて提供される。
【００８６】
また、上述の各実施の形態の画像投影装置で実行されるプログラムは、インターネット等のネットワークに接続されたコンピュータ上に格納され、ネットワーク経由でダウンロードされることにより提供されるようにしてもよい。また、上述の各実施の形態の画像投影装置で実行されるプログラムは、インターネット等のネットワーク経由で提供または配布されるようにしてもよい。また、上述の各実施の形態の画像投影装置で実行されるプログラムは、ＲＯＭ等に予め組み込んで提供されるようにしてもよい。
【００８７】
上述の各実施の形態の画像投影装置で実行されるプログラムは、上述した各処理部（非投影画像取得部２７１、投影画像取得部２７２、比較部２７３および画像移動部２７４）をコンピュータ上で実現させるためのモジュール構成となっている。実際のハードウェアとしては、制御装置が外部記憶装置からプログラムを記憶装置上に読み出して実行することによって、上記各処理部がコンピュータ上で実現されるようになっている。
【符号の説明】
【００８８】
１、１ａ  ＰＣ
２、２ａ、２ｂ  プロジェクタ
３  通信ケーブル
４  投影領域
１１  通信インターフェース
１１ａ  無線ＬＡＮインターフェース
１２  操作部
１３  表示部
１４  記億部
１５  外部記憶装置
１６  制御部
１７  バス
２１  通信インターフェース
２１ａ  無線ＬＡＮインターフェース
２２  ＲＡＭ
２２ａ  フラッシュメモリ
２３  ＲＡＭ
２３ａ  第１のバッファ
２３ｂ  第２のバッファ
２４  切替回路
２５  制御スイッチ
２６  投影部
２６ａ  投影レンズ
２７  制御部
１００、１００ａ、１００ｂ  画像投影システム
１６１  画像生成部
１６２  画像送信部
１６３  画像表示部
２７１  非投影画像取得部
２７２  投影画像取得部
２７３  比較部
２７４  画像移動部
【先行技術文献】
【特許文献】
【００８９】
【特許文献１】特開２０１２−１５９７６５号公報
【図１】
2014239404.tif 000003
【図２】
2014239404.tif 000004
【図３】
2014239404.tif 000005
【図４】
2014239404.tif 000006
【図５】
2014239404.tif 000007
【図６】
2014239404.tif 000008
【図７】
2014239404.tif 000009
【図８】
2014239404.tif 000010
【図９】
2014239404.tif 000011
【図１０】
2014239404.tif 000012